(57)【要約】【課題】単発的に発生する雷や瞬時停電による電源電圧変動時と、影響の少ない略周期的に発生するノイズ等の電源電圧変動時とを判別して電源電圧検知レベルを切換えること。【解決手段】サージ検知手段９により検知した電圧とサージ電圧閾値とを比較する電圧比較手段１０と、駆動停止手段１２による停止回数を測定する停止回数測定手段１１と、サージ検知手段９の検知電圧レベルを切換える電圧切換え手段１３とを備え、所定時間内の停止回数が所定回数以上の場合は、サージ検知手段９の検知電圧レベルを駆動停止しないレベルに切換えることにより、不用に加熱停止し使用できない状況を低減することができる。【選択図】図１
2006079833.tif 000002
【特許請求の範囲】
【請求項１】
加熱コイルと共振コンデンサとスイッチング素子を含むインバータ回路と、前記インバータ回路の前記スイッチング素子を駆動制御する駆動制御手段と、商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記サージ検知手段の検知電圧レベルを切換える電圧切換え手段とを備え、所定時間内の停止回数が所定回数以上の場合は、前記電圧切換え手段により前記サージ検知手段の検知電圧レベルを切換える誘導加熱調理器。
【請求項２】
加熱コイルと共振コンデンサとスイッチング素子を含むインバータ回路と、前記インバータ回路の前記スイッチング素子を駆動制御する駆動制御手段と、商用電源の電圧を検知する電源電圧検知手段と、前記商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記サージ検知手段の検知電圧レベルを切換える電圧切換え手段とを備え、所定時間内の停止回数が所定回数以上で、かつ、前記電源電圧検知手段にて検知した電圧が駆動電圧許可値以下の場合は、前記電圧切換え手段により前記サージ検知手段の検知レベルを切換える誘導加熱調理器。
【請求項３】
電圧切換え手段により切換える電圧レベルは、電圧比較手段に入力される検知電圧を下げるように働く請求項１または２に記載の誘導加熱調理器。
【請求項４】
電圧切換え手段によりサージ検出手段の検知レベルが切換えられた状態で駆動制御手段にてスイッチング素子が駆動され、所定時間駆動停止手段による駆動停止がなされない場合に、前記電圧切換え手段により切換えられた検知レベルを初期に戻す請求項１〜３のいずれか１項に記載の誘導加熱調理器。
【請求項５】
加熱コイルと共振コンデンサとスイッチング素子を含むインバータ回路と、前記インバータ回路の前記スイッチング素子を駆動制御する駆動制御手段と、商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記電圧比較手段のサージ電圧閾値を切換える比較閾値切換え手段とを備え、所定時間内の停止回数が所定回数以上の場合は、前記比較閾値切換え手段により前記サージ電圧閾値を切換える誘導加熱調理器。
【請求項６】
加熱コイルと共振コンデンサとスイッチング素子を含むインバータ回路と、前記インバータ回路の前記スイッチング素子を駆動制御する駆動制御手段と、商用電源の電圧を検知する電源電圧検知手段と、前記商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記電圧比較手段のサージ電圧閾値を切換える比較閾値切換え手段とを備え、所定時間内の停止回数が所定回数以上で、かつ、前記電源電圧検知手段にて検知した電圧が駆動電圧許可値以下の場合は、前記比較閾値切換え手段により前記サージ電圧閾値を切換える誘導加熱調理器。
【請求項７】
比較閾値切換え手段による比較検知手段のサージ電圧閾値の切換えは、閾値レベルを高い電圧に切換える請求項５または６に記載の誘導加熱調理器。
【請求項８】
比較閾値切換え手段により比較検知手段のサージ電圧閾値が切換えられた状態で、駆動制御手段にてスイッチング素子が駆動され、所定時間駆動停止手段による駆動停止がなされない場合に、前記比較閾値切換え手段により切換えられた閾値レベルを初期に戻す請求項５〜７のいずれか１項に記載の誘導加熱調理器。
【発明の詳細な説明】
【技術分野】
【０００１】
本発明はインバータ回路により加熱コイルの磁束にて鍋等を誘導加熱する誘導加熱調理器に関するものである。
【背景技術】
【０００２】
従来この種の誘導加熱調理器は、商用電源を全波整流しその両端を抵抗分圧にて電源電圧検知ならびに微分回路構成によるサージ電圧検知回路を備え、定常電源電圧ならびにサージによる電圧を検知し異常電圧を検知するとスイッチング素子の駆動動作を停止させるものであった（例えば、特許文献１参照）。
【０００３】
図５は、特許文献１に記載された従来の誘導加熱調理器を示すものである。以下図５を用いて従来例を説明する。ダイオードブリッジ１０２は商用電源１０１を全波整流し、平滑用コンデンサ１０３はダイオードブリッジ１０２で整流した商用電源１０１を平滑し直流電源にしている。インバータ回路１０４は加熱コイル１０５と、共振コンデンサ１０６と、ＩＧＢＴ等からなるスイッチング素子１０７とからなる。駆動制御手段１０８はスイッチング素子１０７を駆動制御し、加熱コイル１０５に高周波電流を流し、被加熱物である鍋等（図示せず）を加熱するようスイッチング素子１０７を高周波でオンオフさせる。サージ検知手段１０９は商用電源１０１を平滑した直流電源の電圧を検知するとともに、コンデンサと抵抗より構成された微分回路からなり、定常電圧以上にサージが印加された場合には微分回路にて高い電圧が出力される。電圧比較手段１１０はサージ検知手段１０９で検知した値と所定の値とを比較し、所定値以上の電圧が入力されると駆動停止手段１１２に信号を出力して駆動制御手段１０８によるスイッチング素子１０７の駆動を停止させるものであった。
【特許文献１】特許第３２４９２９４号公報
【発明の開示】
【発明が解決しようとする課題】
【０００４】
しかしながら、前記従来の構成では、雷や瞬時停電等により単発的に電源電圧が変化する場合と、他の機器等が発する略周期的な高調波の外来ノイズとを区別できない。こういった略周期的な外来ノイズは雷サージほどのエネルギーはなく、スイッチング素子１０７の駆動を停止するに及ばない場合であっても駆動停止手段１１２が働き、加熱調理が止まってしまうことがある。その際機器が止まってしまうレベルの外来ノイズが周期的であれば、外来ノイズが商用電源に重畳している間、機器を使用できないといったことが起こるという課題があった。
【０００５】
本発明は商用電源の電圧検知レベルを切換えることで、不用意に加熱停止し使用できないという状況を低減した誘導加熱調理器を提供することを目的とする。
【課題を解決するための手段】
【０００６】
前記従来の課題を解決するために、本発明の誘導加熱調理器は、商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合にスイッチング素子の駆動を停止する駆動停止手段と、前記駆動停止手段による停止回数を測定する停止回数測定手段と、電源電圧検知手段の検知電圧レベルを切換える電圧切換え手段とを備え、停止回数が所定時間内に所定回数以上の場合は、電圧切換え手段により電圧検知手段の検知レベルを切換えるようにしたものである。
【０００７】
これによって、所定回数以上停止を繰り返す場合、単発的に発生する雷サージや瞬時停電時および停電復帰時の電源電圧の急激な変動とは異なるので電圧切換手段により検知電圧レベルを駆動を停止しないレベルに変えることで周期的な外来ノイズ等により加熱ができなくなるといったことを低減することができる。
【０００８】
また、商用電源の電圧を検知する電源電圧検知手段と、前記商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合にスイッチング素子の駆動を停止する駆動停止手段と、前記駆動停止手段による停止回数を測定する停止回数測定手段と、前記電源電圧検知手段の検知電圧レベルを切換える電圧切換え手段とを備え、所定時間内の停止回数が所定回数以上で、かつ、前記電源電圧検知手段にて検知した電圧が駆動電圧許可値以下の場合は、前記電圧切換え手段により前記サージ検知手段の検知レベルを切換えるものである。
【０００９】
これによって、雷や瞬時停電等による単発的に発生する電源電圧変動と、略周期的に発生する外来ノイズの場合とで電圧検知レベルを切換えるので、不用に加熱停止し使用できない状況を低減することができる。また、駆動電圧許可値以下の場合のみ電圧検知レベルを切換えるので、機器の破壊防止レベルをあまり下げることはない。
【００１０】
また、商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合にスイッチング素子の駆動を停止する駆動停止手段と、前記駆動停止手段による停止回数を測定する停止回数測定手段と、前記電圧比較手段のサージ電圧閾値を切換える比較閾値切換え手段とを備え、所定時間内の停止回数が所定回数以上の場合は、前記比較閾値切換え手段により前記サージ電圧閾値を切換えるものである。
【００１１】
これによって、雷や瞬時停電等による単発的に発生する電源電圧変動と、略周期的に発生する外来ノイズの場合とで前記比較閾値切換え手段により比較される電圧レベルが切換わるので、不用に加熱停止し使用できない状況を低減することができる。また、前記電圧比較手段に入力される電圧は小信号まで低圧されており、安価な構成で実現することができる。
【００１２】
また、商用電源の電圧を検知する電源電圧検知手段と、前記商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合にスイッチング素子の駆動を停止する駆動停止手段と、前記駆動停止手段による停止回数を測定する停止回数測定手段と、前記電圧比較手段のサージ電圧閾値を切換える比較閾値切換え手段とを備え、所定時間内の停止回数が所定回数以上で、かつ、前記電源電圧検知手段にて検知した電圧が駆動電圧許可値以下の場合は、前記比較閾値切換え手段により前記サージ電圧閾値を切換えるものである。
【００１３】
これによって、雷や瞬時停電等による単発的に発生する電源電圧変動と、略周期的に発生する外来ノイズの場合とで前記比較閾値切換え手段により比較される電圧レベルが切換わるので、不用に加熱停止し使用できない状況を低減することができる。また、前記電圧比較手段に入力される電圧は小信号まで低圧されており、安価な構成で実現することができる。また、駆動電圧許可値以下の場合のみ電圧検知レベルを切換えるので、機器の破壊防止レベルをあまり下げることはない。
【発明の効果】
【００１４】
本発明の誘導加熱調理器は、雷や瞬時停電等による単発的に発生する電源電圧変動と、影響の少ない略周期的に発生する外来ノイズの場合とで電圧検知レベルを切換えるので、不用に加熱停止し使用できない状況を低減することができる。
【発明を実施するための最良の形態】
【００１５】
第１の発明は、加熱コイルと共振コンデンサとスイッチング素子を含むインバータ回路と、前記インバータ回路の前記スイッチング素子を駆動制御する駆動制御手段と、商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記サージ検知手段の検知電圧レベルを切換える電圧切換え手段とを備え、所定時間内の停止回数が所定回数以上の場合は、前記電圧切換え手段により前記サージ検知手段の検知電圧レベルを切換えることで、雷や瞬時停電等による単発的に発生する電源電圧変動でのレベルと、略周期的に発生する外来ノイズの場合には駆動を停止しないレベルに電圧検知レベルを切換えるので、不用に加熱停止し使用できない状況を低減することができる。
【００１６】
第２の発明は、加熱コイルと共振コンデンサとスイッチング素子を含むインバータ回路と、前記インバータ回路の前記スイッチング素子を駆動制御する駆動制御手段と、商用電源の電圧を検知する電源電圧検知手段と、前記商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記サージ検知手段の検知電圧レベルを切換える電圧切換え手段とを備え、所定時間内の停止回数が所定回数以上で、かつ、前記電源電圧検知手段にて検知した電圧が駆動電圧許可値以下の場合は、前記電圧切換え手段により前記サージ検知手段の検知レベルを切換えることで、雷や瞬時停電等による単発的に発生する電源電圧変動と、略周期的に発生する外来ノイズの場合とで電圧検知レベルを切換えるので、不用に加熱停止し使用できない状況を低減することができる。また、駆動電圧許可値以下の場合のみ電圧検知レベルを切換えるので、機器の破壊防止レベルをあまり下げることはない。
【００１７】
第３の発明は、特に、第１または２の発明の、電圧切換え手段により切換える電圧レベルは、電圧比較手段に入力される検知電圧を下げるように働くものであり、より周期的に発生する外来ノイズでの誤動作による加熱停止を低減することができる。
【００１８】
第４の発明は、特に、第１〜３のいずれか１つの発明の、電圧切換え手段によりサージ検出手段の検知レベルが切換えられた状態で駆動制御手段にてスイッチング素子が駆動され、所定時間駆動停止手段による駆動停止がなされない場合に、前記電圧切換え手段により切換えられた検知レベルを初期に戻すものであり、外来ノイズが低減されている場合には通常と同じ破壊防止レベルに戻せるので、さらに単発的なサージに対する保護を保つことができる。
【００１９】
第５の発明は、加熱コイルと共振コンデンサとスイッチング素子を含むインバータ回路と、前記インバータ回路の前記スイッチング素子を駆動制御する駆動制御手段と、商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記電圧比較手段のサージ電圧閾値を切換える比較閾値切換え手段とを備え、所定時間内の停止回数が所定回数以上の場合は、前記比較閾値切換え手段により前記サージ電圧閾値を切換えるものであり、雷や瞬時停電等による単発的に発生する電源電圧変動と、略周期的に発生する外来ノイズの場合とで前記比較閾値切換え手段により比較される電圧レベルが切換わるので、不用に加熱停止し使用できない状況を低減することができる。また、前記電圧比較手段に入力される電圧は小信号まで低圧されており、安価な構成で実現することができる。
【００２０】
第６の発明は、加熱コイルと共振コンデンサとスイッチング素子を含むインバータ回路と、前記インバータ回路の前記スイッチング素子を駆動制御する駆動制御手段と、商用電源の電圧を検知する電源電圧検知手段と、前記商用電源に重畳されたサージ等を検知するサージ検知手段と、前記サージ検知手段により検知した電圧とサージ電圧閾値とを比較する電圧比較手段と、前記電圧比較手段により前記サージ検知手段による検知電圧がサージ電圧閾値よりも高いと判断した場合に前記スイッチング素子の駆動を停止する駆動停止手段と、前記駆動停止手段による停止回数を測定する停止回数測定手段と、前記電圧比較手段のサージ電圧閾値を切換える比較閾値切換え手段とを備え、所定時間内の停止回数が所定回数以上で、かつ、前記電源電圧検知手段にて検知した電圧が駆動電圧許可値以下の場合は、前記比較閾値切換え手段により前記サージ電圧閾値を切換えるものであり、雷や瞬時停電等による単発的に発生する電源電圧変動と、略周期的に発生する外来ノイズの場合とで前記比較閾値切換え手段により比較される電圧レベルが切換わるので、不用に加熱停止し使用できない状況を低減することができる。また、前記電圧比較手段に入力される電圧は小信号まで低圧されており、安価な構成で実現することができる。また、駆動電圧許可値以下の場合のみ電圧検知レベルを切換えるので、機器の破壊防止レベルをあまり下げることはない。
【００２１】
第７の発明は、特に、第５または６のいずれか１つの発明で、比較閾値切換え手段による比較検知手段のサージ電圧閾値の切換えは、閾値レベルを高い電圧に切換えるものであり、より周期的に発生する外来ノイズでの誤動作による加熱停止を低減することができる。
【００２２】
第８の発明は、特に、第５〜７のいずれか１つの発明の、比較閾値切換え手段により比較検知手段のサージ電圧閾値が切換えられた状態で駆動制御手段にてスイッチング素子が駆動され、所定時間駆動停止手段による駆動停止がなされない場合に、前記比較閾値切換え手段により切換えられた閾値レベルを初期に戻すものであり、外来ノイズが低減されている場合には通常と同じ破壊防止レベルに戻せるので、さらに単発的なサージに対する保護を保つことができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における誘導加熱調理器の構成図である。以下図１を用いて説明する。
【００２５】
ダイオードブリッジ２は商用電源１を全波整流し、平滑用コンデンサ３はダイオードブリッジ２で整流した商用電源１を平滑し直流電源にしている。インバータ回路４は加熱コイル５と、共振コンデンサ６と、ＩＧＢＴ等からなるスイッチング素子７とからなる。駆動制御手段８はスイッチング素子７を駆動制御し、加熱コイル５に高周波電流を流し、被加熱物である鍋等（図示せず）を加熱するようスイッチング素子７を高周波でオンオフさせる。サージ検知手段９は商用電源１に重畳したサージを検出するもので、Ｖｉｎの分圧電圧であるＶｓを出力するが、サージ等急激にＶｉｎ電圧が跳ね上がったときにはＣ１、Ｒ２で構成された微分回路によりその変化を捉えることができる。電圧比較手段１０は基準となるＶｒｅｆ電圧とサージ検出手段９からの出力電圧Ｖｓを比較し、Ｖｓ＞Ｖｒｅｆである場合に駆動停止手段１２に停止信号を送る。駆動停止手段１２は電圧比較手段１０からの信号を受け、駆動制御手段８によるスイッチング素子７の制御を停止させる。停止回数測定手段１１は所定時間に駆動停止手段１２により動作が停止された回数を測定し、所定回数以上であればリレー等の電圧切換え手段１３にてＣ２の接続を切換える。
【００２６】
通常、電圧切換え手段１３によるＣ２の接続はオン、つまりＣ１とＣ２を並列に接続しており、サージ検知手段９の微分回路を構成するコンデンサの容量は大きくしておくことでより微分が働きやすく、単発的に発生するサージによる電源Ｖｉｎの変動を捉えやすくしている。
【００２７】
ここで例えば同一の商用電源１に他のスイッチング電源機器、エアコンのようなコンデンサインプット機器、あるいは、掃除機や炬燵のような位相制御機器などがつながれている場合に、商用電源１の入力波形に周期的なノイズが発生すると、サージ検知手段９の微分回路がそのノイズを検出し、Ｖｓが周期的に大きくなってしまい、その結果、電圧比較手段１０のＶｒｅｆ（例えば、重畳する電圧３５０Ｖに相当）以上、例えば、重畳する電圧略３６０Ｖ相当となる場合がある。この場合、外来ノイズにほぼ同期して駆動停止手段１２により加熱を停止してしまう。停止回数測定手段１１は所定時間（例えば１分間）の駆動停止回数を測定し、駆動停止回数が所定回数以上（例えば１０回以上）ならば周期的であるとして、電圧切換え手段１３によりＣ２を切り離す。それにより微分回路を構成するコンデンサの容量が減少するため、微分の働きが抑制する用に働く。すなわち同じ電圧変動レベルでもサージ検知手段９により出力される電圧Ｖｓは低い電圧となる。これにより、サージとは異なる周期的な外来ノイズ等により加熱が停止し使用できなくなるケースを減少させることができる。
【００２８】
更に他の機器等の影響により周期的ノイズが重畳されている場合、他の機器の使用が終了している可能性もあるため、電圧切換え手段１３にてコンデンサＣ２を切り離した状態で加熱を継続している場合、所定時間（およそ調理に影響しない範囲で例えば１５分）経過したら、電圧切換え手段１３はコンデンサＣ２を接続する。これにより既に加熱を停止させる外来ノイズが除去されている場合には、本来の微分の動作レベルとなり、単発的なサージなどに対してより安全に機器を保護する状態にできる。また、一旦使用者により加熱を停止させた場合にもコンデンサＣ２が接続されている初期の状態にもどす。これにより、商用電源１に周期的な外来ノイズが重畳されて加熱ができないときのみに、サージ検出レベルを下げており、他の場合には、サージを検出して機器の保護状態を保つことが可能である。
【００２９】
なお、本実施の形態では、電圧切換えの手段を並列接続のコンデンサの切換えとしたが、コンデンサの直列接続や抵抗の分圧比切換え等でも同様の効果が得られる。
【００３０】
なお、本実施の形態ではインバータ回路を一石電圧共振インバータとしたが、フルブリッジあるいはハーフブリッジ構成のインバータにおいても、商用電源１に重畳されるサージに対しての保護回路として同様の構成であれば同様の効果が得られる。
【００３１】
（実施の形態２）
図２は、本発明の第２の実施の形態における誘導加熱調理器の構成図である。なお実施の形態１に示した構成については同じ番号を付与し、異なる構成についてのみ説明する。
【００３２】
抵抗分圧等で構成される電源電圧検知手段１４、その出力におよそ商用電源１の周波数の倍である１００Ｈｚ付近を通すバンドパスフィルター１５、論理比較器１６を備え、電源電圧検知手段１４で電圧Ｖｉｎを検知し、更にバンドパスフィルター１５を介すことでほぼ商用電源１の電圧Ｖｉｎを検知する。論理比較器１６にてＶｉｎが通常機器を動作させても問題ない電圧範囲であることと、停止回数測定手段１１による所定時間の駆動停止回数で周期的であるとする切換え条件のどちらも満足する場合に、電圧切換え手段１３によりコンデンサＣ２の接続を切換える。
【００３３】
これにより、サージ検知レベルを切換えるのは、通常機器を動作させても問題ない電圧範囲の場合のみなので、機器の破壊防止レベルをあまり下げることはない。
【００３４】
なお、本実施の形態では、電圧切換え手段１３を並列接続のコンデンサの切換えとしたが、コンデンサの直列接続や抵抗の分圧比切換え等でも同様の効果が得られる。
【００３５】
なお、本実施の形態ではインバータ回路を一石電圧共振インバータとしたが、フルブリッジあるいはハーフブリッジ構成のインバータにおいても、商用電源１に重畳されるサージに対しての保護回路として同様の構成であれば同様の効果が得られる。
【００３６】
（実施の形態３）
図３は、本発明の第３の実施の形態における誘導加熱調理器の構成図である。以下図３を用いて説明する。
【００３７】
ダイオードブリッジ２は商用電源１を全波整流し、平滑用コンデンサ３はダイオードブリッジ２で整流した商用電源１を平滑し直流電源にしている。インバータ回路４は加熱コイル５と、共振コンデンサ６と、ＩＧＢＴ等からなるスイッチング素子７とからなる。駆動制御手段８はスイッチング素子７を駆動制御し、加熱コイル５に高周波電流を流し、被加熱物である鍋等（図示せず）を加熱するようスイッチング素子７を高周波でオンオフさせる。サージ検知手段９は商用電源１に重畳したサージを検出するもので、Ｖｉｎの分圧電圧であるＶｓを出力するが、サージ等急激にＶｉｎ電圧が跳ね上がったときには、Ｃ１とＲ２で構成された微分回路によりその変化を捉えることができる。電圧比較手段１０は基準となるＶｒｅｆ電圧とサージ検出手段９からの出力電圧Ｖｓを比較し、Ｖｓ＞Ｖｒｅｆである場合に駆動停止手段１２に停止信号を送る。駆動停止手段１２は電圧比較手段１０からの信号を受け、駆動制御手段８によるスイッチング素子７の制御を停止させる。停止回数測定手段１１は所定時間に駆動停止手段１２により動作が停止された回数を測定し、所定回数以上であれば、比較閾値切換え手段１７にてＲ６の接続を切換える。
【００３８】
通常比較閾値切換え手段１７によるＲ６の接続はオフ、つまりＶｒｅｆはＲ４とＲ５の分圧のみで決まっている。ここでＲ６はＲ４よりも抵抗値が小さい値であり、比較閾値切換え手段１７にてＲ６が接続された場合はＲ４とＲ６の合成抵抗が小さくなる。
【００３９】
ここで例えば同一の商用電源１に他のスイッチング電源機器、コンデンサインプット機器、位相制御機器などがつながれている場合、商用電源１の入力波形に周期的なノイズが発生するとサージ検知手段９の微分回路がそのノイズを検出し、Ｖｓが周期的に大きくなってしまい、結果電圧比較手段１１のＶｒｅｆ以上となる場合がある。この場合、外来ノイズにほぼ同期して駆動停止手段１２により加熱を停止してしまう。停止回数測定手段１１は所定時間（例えば１分間）の駆動停止回数を測定し、駆動停止回数が所定回数以上（例えば１０回以上）ならば周期的であるとして、比較閾値切換え手段１７によりＲ６を接続する。これにより電圧比較手段１３の基準電圧Ｖｒｅｆは高くなりＶｓ＞Ｖｒｅｆになりにくくすることができ、電圧比較手段１０は駆動停止手段１２に対して停止信号を送ることを抑制できる。これにより、サージとは異なる周期的な外来ノイズ等により加熱が停止し使用できなくなるケースを減少させることができる。また、Ｒ６の切換えは小信号であるため、安価なトランジスタ等で行うことができる。
【００４０】
更に、他の機器等の影響により周期的ノイズが重畳されている場合には、その後他の機器の使用が終了して周期的ノイズの影響が無くなっている可能性もあるため、比較閾値切換え手段１７にて抵抗Ｒ６を接続した状態で加熱を継続している場合、所定時間（およそ調理に影響しない範囲で例えば１５分）経過したら、比較閾値切換え手段１７は抵抗Ｒ６を切り離す。これにより既に加熱を停止させる外来ノイズが除去されている場合には、本来の微分の動作レベルとなり、単発的なサージなどに対してより安全に機器を保護する状態にできる。また、一旦使用者により加熱を停止させた場合にも抵抗Ｒ６が接続されていない初期の状態にもどす。これにより、商用電源１に周期的な外来ノイズが重畳されて加熱ができないときのみに、サージ検出レベルを下げており、他の場合には、サージを検出して機器の保護状態を保つことが可能である。
【００４１】
なお、サージ閾値の切換えは、電圧比較手段１０の基準電圧Ｖｒｅｆを切換えるものであり、抵抗の接続やＲ５側の接続切換えの構成であっても何ら変わりはない。
【００４２】
なお、本実施の形態ではインバータ回路を一石電圧共振インバータとしたが、フルブリッジあるいはハーフブリッジ構成のインバータにおいても、商用電源１に重畳されるサージに対しての保護回路として同様の構成であれば同様の効果が得られる。
【００４３】
（実施の形態４）
図４は、本発明の第４の実施の形態における誘導加熱調理器の構成図である。なお実施の形態３に示した構成については同じ番号を付与し、異なる構成についてのみ説明する。
【００４４】
抵抗分圧等で構成される電源電圧検知手段１４、その出力におよそ商用電源１の周波数の倍である１００Ｈｚ付近を通すバンドパスフィルター１５、論理比較器１６を備え、電源電圧検知手段１４で電圧Ｖｉｎを検知し、更にバンドパスフィルター１５を介すことでほぼ商用電源１の電圧Ｖｉｎを検知する。論理比較器１６にてＶｉｎが通常機器を動作させても問題ない電圧範囲であることと、停止回数測定切手段１１による所定時間の駆動停止回数で周期的であるとする切換え条件のどちらも満足する場合に、比較閾値切換え手段１７により抵抗Ｒ６の接続を切換える。
【００４５】
これにより、サージ検知レベルを切換えるのは、通常機器を動作させても問題ない電圧範囲の場合のみなので、機器の破壊防止レベルをあまり下げることはない。
【００４６】
なお、サージ閾値の切換えは電圧比較手段１０の基準電圧Ｖｒｅｆを切換えるものであり、抵抗の接続やＲ５側の接続切換えの構成であっても何ら変わりはない。
【００４７】
なお、本実施の形態ではインバータ回路を一石電圧共振インバータとしたが、フルブリッジあるいはハーフブリッジ構成のインバータにおいても、商用電源１に重畳されるサージに対しての保護回路として同様の構成であれば同様の効果が得られる。
【産業上の利用可能性】
【００４８】
以上のように、本発明にかかる誘導加熱調理器は雷や瞬時停電等による単発的に発生する電源電圧変動と、略周期的に発生する外来ノイズの場合とで電圧検知レベルを切換えるので、不用に加熱停止し使用できない状況を低減することができ、調理器以外での誘導加熱機器等の用途にも適用できる。
【図面の簡単な説明】
【００４９】
【図１】本発明の実施の形態１における誘導加熱調理器の構成図
【図２】本発明の実施の形態２における誘導加熱調理器の構成図
【図３】本発明の実施の形態３における誘導加熱調理器の構成図
【図４】本発明の実施の形態４における誘導加熱調理器の構成図
【図５】従来の誘導加熱調理器の構成図
【符号の説明】
【００５０】
１  商用電源
４  インバータ回路
５  加熱コイル
６  共振コンデンサ
７  スイッチング素子
８  駆動制御手段
９  サージ検知手段
１０  電圧比較手段
１１  停止回数測定手段
１２  駆動停止手段
１３  電圧切換え手段
１４  電源電圧検知手段
１７  比較閾値切換え手段
【図１】
2006079833.tif 000003
【図２】
2006079833.tif 000004
【図３】
2006079833.tif 000005
【図４】
2006079833.tif 000006
【図５】
2006079833.tif 000007